(57)【要約】【課題】簡単な構造を有し、磁性部材の取り付け角度によるレンズホルダ及び対物レンズの傾きやずれが発生するのを抑制し、フォーカシングコイルに通電しなくても対物レンズと光ディスクの記録面までの長さを設計上適切な長さになるように浮遊支持し、フォーカシング制御を円滑に効率よく行う。【解決手段】レンズホルダ１と、ケース２と、ケース２に固定されるシャフト３と、永久磁石４と、トラッキングコイル５と、レンズホルダ１の下面に接合保持されるフォーカシングコイル６と、レンズホルダ１の下面に取り付けられ、上片部７１と、フォーカシングコイル６の下面よりも下方に配置される下片部７２と、上片部７１及びを連結する連結部７３とを具備する磁性部材７とを有している。【選択図】図１
2007299442.tif 000002
【特許請求の範囲】
【請求項１】
矩形状の底面と、前記底面の端部より上方に突設される立ち上がり壁部と、前記底面の略中央に前記立ち上がり壁部と同じ方向に突設する円柱状のシャフトとを具備するケースと、
対物レンズを保持するレンズ保持部と、中央に配置された円筒部と、円筒部の中心を軸方向に貫通し前記シャフトに摺動及び回動可能に外嵌する軸孔とを具備するレンズホルダと、
前記レンズホルダの下面と接触し前記円筒部を囲むように取り付け固定される磁性部材と、
前記磁性部材に固定され、前記円柱部を囲むように取り付けられるフォーカシングコイルと、
前記立ち上がり壁部の内周面に取り付けられ、前記フォーカシングコイルを挟む左右両側に配置された永久磁石とを有し、
前記フォーカシングコイルに通電していないときに前記磁性部材が前記永久磁石に吸引されることで、前記レンズホルダが前記ケースに対して浮遊状態で支持される光ヘッドであって、
前記磁性部材は一枚の磁性板を折り曲げて形成され、前記円筒部が貫通する貫通孔を有する上片部と、前記上片部の下方に該上片部と平行に配置される一対の下片部と、前記上片部と前記一対の下片部とを連結する一対の連結部とを備える左右対称の板金部材であり、
前記フォーカシングコイルは上部が前記上片部と左右両側部が前記一対の連結部と当接するとともに下部が前記下片部よりも上片部に近くなるように前記磁性部材に固定されており、
前記上片部の左右両端部及び前記一対の下片部には同一の大きさ及び形状を有する先端が尖った磁針部を備えていることを特徴とする光ヘッド。
【請求項２】
矩形状の底面と、前記底面の端部より上方に突設される立ち上がり壁部と、前記底面の略中央に前記立ち上がり壁部と同じ方向に突設する円柱状のシャフトとを具備するケースと、
対物レンズを保持するレンズ保持部と、中央に配置された円筒部と、円筒部の中心を軸方向に貫通し前記シャフトに摺動及び回動可能に外嵌する軸孔とを具備するレンズホルダと、
前記レンズホルダの下面と接触し前記円筒部を囲むように取り付け固定される磁性部材と、
前記磁性部材と当接し、前記円柱部を囲むように取り付けられるフォーカシングコイルと、
前記立ち上がり壁部の内周面に取り付けられ、前記フォーカシングコイルを挟む左右両側に配置された永久磁石とを有し、
前記フォーカシングコイルに通電していないときに前記磁性部材が前記永久磁石に吸引されることで、前記レンズホルダが前記ケースに対して浮遊状態で支持される光ヘッドであって、
前記磁性部材は左右対称であり、上片部と、前記上片部の下方に該上片部と平行に配置される一対の下片部と、前記上片部と前記一対の下片部とを連結する一対の連結部とを備え、
前記フォーカシングコイルは上部が前記上片部と左右両側が前記一対の連結部と当接して固定されていることを特徴とする光ヘッド。
【請求項３】
前記上片部の左右両端及び前記一対の下片部は先端が尖った磁針部を備えていることを特徴とする請求項２に記載の光ヘッド。
【請求項４】
前記磁針部はそれぞれ同一の形状及び大きさで形成されていることを特徴とする請求項３に記載の光ヘッド。
【請求項５】
前記一対の下片部が前記フォーカシングコイルの下部よりも下方に配置されることを特徴とする請求項２から請求項４のいずれかに記載の光ヘッド。
【発明の詳細な説明】
【技術分野】
【０００１】
本発明は、光ヘッド、特に、対物レンズを備えるレンズホルダとマグネットと磁性片が取り付けられ、マグネットと磁性片との間に発生する磁気力によって前記レンズホルダを浮上した状態で支持するアクチュエータを備えた光ヘッドに関するものである。
【背景技術】
【０００２】
映像、音声等の情報の記録媒体としてレーザ光を照射することで再生又は記録するＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光ディスクが利用されている。前記光ディスクを記録媒体とする光ディスク装置は、前記光ディスクの記録面に対しレーザ光を照射し、該光ディスクに記録されているデータを再生したり、該光ディスクにデータを記録したりすることができる光ヘッドを備えている。
【０００３】
前記光ディスクの記録面には、ピット（再生専用又は情報が記録されている記録可能な光ディスク）又はグルーブ（記録可能な光ディスク）が形成されている。前記光ヘッドは前記光ディスクに対して情報の再生又は記録を行うときに、対物レンズを用いてレーザ光の焦点を絞り、その焦点を前記光ディスクに形成されているグルーブ又はピットに合わせ、且つ、前記光ディスクに形成されているトラックから外れないようにする必要がある。
【０００４】
上述のような光ディスク装置では光ディスク自体のそりや、光学機器の製造誤差、組み付け誤差等によって焦点位置がずれる。そこで、前記光ヘッドは、焦点位置のずれを補正するために前記対物レンズを光軸方向及び（又は）前記トラックを横切る方向に移動させて、前記対物レンズから出射されるレーザ光の焦点が正確に前記グルーブ又はピットに照射されるように対物レンズの位置制御を行っている。
【０００５】
図１０に従来の光ヘッドに用いられるアクチュエータの一例の分解斜視図を示す。図１０に示すアクチュエータＢは、対物レンズＬｂと、対物レンズＬｂを保持するレンズホルダ９１と、内部にレンズホルダ９１が配置されるケース９２と、ケース９２の底面９２１に取り付け固定されるシャフト９３と、同一の大きさ及び形状を有しケース９２に取り付けられる左右一対の永久磁石９４と、レンズホルダ９１の側面に接合保持されるトラッキングコイル９５と、レンズホルダ９１の下面に接合保持されるフォーカシングコイル９６と、レンズホルダ９１の下面に取り付けられる磁性部材９７とを有している。
【０００６】
図１１に従来の光ヘッドの断面図を示す。アクチュエータＢはスライドベースＳｂの上に取り付け固定されている。レンズホルダ９１には、対物レンズＬｂを保持するレンズ保持部９１１と、ケース９２の底面９２１に固定されたシャフト９３に摺動及び回動可能に外嵌する貫通孔を有する円筒部９１２とを有している。また、レンズホルダ９１には、レンズホルダ９１をシャフト９３回りに回動させるためのトラッキングコイル９５と、レンズホルダ９１をシャフト９３に沿って摺動させるためのフォーカシングコイル９６と、中央部を円筒部９１２が貫通する磁性部材９７が取り付けられる。
【０００７】
円筒部９１２はレンズホルダ９１に対物レンズＬｂ、基板（不図示）、トラッキングコイル９５、フォーカシングコイル９６等の部材を全て取り付けたときに、重心となる位置に下面から下向きに突出したものである。トラッキングコイル９５はレンズホルダ９１の側面に、フォーカシングコイル９６はレンズホルダ９１の下面に円筒部９１２を囲むように配置される。また、磁性部材９７は、フォーカシングコイル９６の下面に接着剤にて接着されている。
【０００８】
ケース９２は平面視矩形状の底面９２１と、底面９２１の４辺から立ち上がる立ち上がり壁部９２２とを有している。シャフト９３は底面９２１からケース９２の内部に向かって突出するように、また、永久磁石９４は立ち上がり壁部９２２にシャフト９３を挟んで正対するように配置される。シャフト９３は磁性体で形成されており、永久磁石９４とシャフト９３の間には磁界が形成されている。
【０００９】
レンズホルダ９１は円筒部９１２に形成された貫通孔９１３がシャフト９３と回動可能及び摺動可能に外嵌するようにケース９２内部に配置される。磁性部材９７は永久磁石９４とシャフト９３の間に発生する磁界内に配置される。磁性部材９７が磁界内に配置されることで、磁性部材９７に磁気力が付与する。レンズホルダ９１は磁性部材９７に付与する磁気力によってケース９２の底面９２１に接触しない状態で支持される。
【００１０】
トラッキングコイル９５及びフォーカシングコイル９６は矩形状に巻き回されている。トラッキングコイル９５は、レンズホルダ９１の側面に配置されている。フォーカシングコイル９６はレンズホルダ９１の下面に円筒部９１２を非接触で囲むように配置されている。トラッキングコイル９５及びフォーカシングコイル９６は永久磁石９４とシャフト９３の間に形成される磁界を横切るように配置されている。
【００１１】
トラッキングコイル９５及びフォーカシングコイル９６は基板（不図示）と接続されており、基板（不図示）を介して、トラッキングコイル９５に電流を流すことで、トラッキングコイル９５にローレンツ力が発生する。このローレンツ力によって、レンズホルダ９１はシャフト９３を中心に回動される。また、フォーカシングコイル９６に電流を流すことで、フォーカシングコイル９６にローレンツ力が発生する。このローレンツ力によって、レンズホルダ９１はシャフト９３の軸方向に摺動する。
【００１２】
フォーカシングコイル９６の底面は配線の巻き状態によって変化しやすく、常に円筒部９１２に対して直交する面を形成するのは非常に困難である。この底面に磁性部材９７を取り付ける場合、磁性部材９７を円筒部９１２に対して常に一定の角度を有するように取り付けて製造するのは難しい。磁性部材９７が傾いて取り付けられてしまうと、レンズホルダ９１が傾いた状態でケース９２に浮揚支持されてしまい、レーザ光のトラッキングやフォーカシングの精度が悪くなる。
【００１３】
そこで磁性部材９７の傾きを抑制するために、図１２に示すように、磁性部材９７をレンズホルダ９１とフォーカシングコイル９６の間に配置するものがある。磁性部材９７はレンズホルダ９１に接触した状態で取り付けられているので、傾いて取り付けられることがなく、レンズホルダ９１は常に同じ角度になるように浮揚支持される。このことにより、対物レンズＬｂのフォーカシングおよびトラッキングの精度を高めることができる（例えば、特開２００５−３４６８３２号公報参照）。
【００１４】
また、特開２００５−３１７０８３号公報に記載の発明では、磁性片を上下二段になるとともに互いに連結するように形成し、上下の磁性片の間にフォーカシングコイルを配置するものが示されている。このように磁性片を上下二段になるように形成し、フォーカシングコイルを挟むように配置することで、前記磁性片の上側の磁性片がレンズホルダと接触するように配置され、常に一定の角度（軸に対して垂直）で取り付けられるので、前記レンズホルダがフォーカシングコイルの底面の誤差によって、傾いて浮揚支持されるのを抑制することができる。
【００１５】
【特許文献１】特開２００５−３４６８３２号公報
【特許文献２】特開２００５−３１７０８３号公報
【発明の開示】
【発明が解決しようとする課題】
【００１６】
通常磁性部材は、永久磁石の磁界の磁束密度が最も強くなる位置（通常は、磁石の中央付近）に強く引かれ、レンズホルダ及びレンズホルダに取り付けられている部材の重量とが釣り合った部分で浮揚支持される。図１２に示す光ヘッドＢのように、磁性部材９７をレンズホルダ９１と接触して配置するものの場合、磁性部材９７が上方についているので、対物レンズＬｂから光ディスクの記録面までの距離が長くなる。この距離を近づけるために、永久磁石９４を限界まで前記光ディスクに近づけても、対物レンズＬｂと前記記録面の距離が焦点距離よりも長くなり、常にフォーカシングコイルに電流を流してレンズホルダ９１を持ち上げておかなくてはならない。
【００１７】
また、特開２００５−３１７０８３号公報に記載の発明では、磁性片が上下二段に形成されているので、前記レンズホルダを浮揚支持したときに、前記対物レンズと前記記録面との距離が長すぎる不具合は抑制することができるが、磁性片の形状が複雑であり、二段の磁性片の間にフォーカシングコイルを配置しなくてはならないので、それだけ、磁性片の製造及び該磁性片及びフォーカシングコイルの組立に手間と、時間がかかり、光ヘッドのコストアップに繋がる。
【００１８】
そこで本発明は、光ディスクにレーザ光を照射する光ヘッドであって、磁性部材の取り付け角度によるレンズホルダ及び対物レンズの傾きやずれが発生するのを抑制し、光ディスクの記録又は再生を精度良く行うことを目的とする。
【００１９】
また本発明は、光ディスクにレーザ光を照射する光ヘッドであって、簡単な構造を有し、フォーカシングコイルに通電しなくても対物レンズと光ディスクの記録面までの長さを設計上適切な長さに近づけ、フォーカシング制御を円滑に効率よく行うことを目的とする。
【課題を解決するための手段】
【００２０】
上記目的を達成するために本発明は、矩形状の底面と、前記底面の端部より上方に突設される立ち上がり壁部と、前記底面の略中央に前記立ち上がり壁部と同じ方向に突設する円柱状のシャフトとを具備するケースと、対物レンズを保持するレンズ保持部と、中央に配置された円筒部と、円筒部の中心を軸方向に貫通し前記シャフトに摺動及び回動可能に外嵌する軸孔とを具備するレンズホルダと、前記レンズホルダの下面と接触し前記円筒部を囲むように取り付け固定される磁性部材と、前記磁性部材に固定され、前記円柱部を囲むように取り付けられるフォーカシングコイルと、前記立ち上がり壁部の内周面に取り付けられ、前記フォーカシングコイルを挟む左右両側に配置された永久磁石とを有し、前記フォーカシングコイルに通電していないときに前記磁性部材が前記永久磁石に吸引されることで、前記レンズホルダが前記ケースに対して浮遊状態で支持される光ヘッドであって、前記磁性部材は一枚の磁性板を折り曲げて形成され、前記円筒部が貫通する貫通孔を有する上片部と、前記上片部の下方に該上片部と平行に配置される一対の下片部と、前記上片部と前記一対の下片部とを連結する一対の連結部とを備える左右対称の板金部材であり、前記フォーカシングコイルは上部が前記上片部と左右両側部が前記一対の連結部と当接するとともに下部が前記下片部よりも上片部に近くなるように前記磁性部材に固定されており、前記上片部の左右両端部及び前記一対の下片部には同一の大きさ及び形状を有する先端が尖った磁針部を備えていることを特徴とする。
【００２１】
この構成によると、磁性部材の上片部をレンズホルダの下面に接触させて固定するので、該磁性部材が該レンズホルダに対して傾くのを防ぐことができる。このことは、前記磁性板が前記永久磁石にて吸引され、前記レンズホルダが浮遊状態に支持されるときに、該レンズホルダに均等に力が付与し、前記対物レンズが光ディスクに対して傾くのを防ぐことができる。
【００２２】
また、前記磁性部材には下片部が形成されており、前記永久磁石に前記上片部及び前記下片部が吸引されるので、前記レンズホルダが浮遊状態で支持されるときに該レンズホルダが前記ケースに対して下がりすぎたり、上りすぎたりすることがなく、フォーカシングコイルが非通電状態で前記対物レンズと光ディスクの記録面までの距離を最適に又は最適に近い長さにすることができる。
【００２３】
このことは、前記対物レンズの位置を設計上最適な位置にするために常にフォーシングコイルにバイアス電力を印加しなくてもよく、それだけ、省エネルギ化することができる。また、フォーカシング制御を行う場合も、フォーカシングコイルに印加する電力を制御しやすく、前記レンズホルダの動きが大きすぎたり、小さすぎたりすることで発生する接触や、フォーカシングできない等の不具合の発生を低減することができる。
【００２４】
さらに、前記磁性部材の前記上片部を前記レンズホルダの下面に接触固定するので、取り付け作業が簡単で、作業によるばらつきの発生も低減することが可能である。
【００２５】
上記目的を達成するために本発明は、矩形状の底面と、前記底面の端部より上方に突設される立ち上がり壁部と、前記底面の略中央に前記立ち上がり壁部と同じ方向に突設する円柱状のシャフトとを具備するケースと、対物レンズを保持するレンズ保持部と、中央に配置された円筒部と、円筒部の中心を軸方向に貫通し前記シャフトに摺動及び回動可能に外嵌する軸孔とを具備するレンズホルダと、前記レンズホルダの下面と接触し前記円筒部を囲むように取り付け固定される磁性部材と、前記磁性部材と当接し、前記円柱部を囲むように取り付けられるフォーカシングコイルと、前記立ち上がり壁部の内周面に取り付けられ、前記フォーカシングコイルを挟む左右両側に配置された永久磁石とを有し、前記フォーカシングコイルに通電していないときに前記磁性部材が前記永久磁石に吸引されることで、前記レンズホルダが前記ケースに対して浮遊状態で支持される光ヘッドであって、前記磁性部材は左右対称であり、上片部と、前記上片部の下方に該上片部と平行に配置される一対の下片部と、前記上片部と前記一対の下片部とを連結する一対の連結部とを備え、前記フォーカシングコイルは上部が前記上片部と左右両側が前記一対の連結部と当接して固定されていることを特徴とする。
【００２６】
この構成によると、磁性部材の上片部をレンズホルダの下面に接触させて固定するので、該磁性部材が該レンズホルダに対して傾くのを防ぐことができる。このことは、前記磁性板が前記永久磁石にて吸引され、前記レンズホルダが浮遊状態に支持されるときに、該レンズホルダに均等に力が付与し、前記対物レンズが光ディスクに対して傾くのを防ぐことができる。
【００２７】
また、前記磁性部材には下片部が形成されており、前記永久磁石に前記上片部及び前記下片部が吸引されるので、前記レンズホルダが浮遊状態で支持されるときに該レンズホルダが前記ケースに対して下がりすぎたり、上りすぎたりすることがなく、フォーカシングコイルが非通電状態で前記対物レンズと光ディスクの記録面までの距離を最適に又は最適に近い長さにすることができる。
【００２８】
このことは、前記対物レンズの位置を設計上最適な位置にするために常にフォーシングコイルにバイアス電力を印加しなくてもよく、それだけ、省エネルギ化することができる。また、フォーカシング制御を行う場合も、フォーカシングコイルに印加する電力を制御しやすく、前記レンズホルダの動きが大きすぎたり、小さすぎたりすることで発生する接触や、フォーカシングできない等の不具合の発生を低減することができる。
【００２９】
さらに、前記磁性部材の前記上片部を前記レンズホルダの下面に接触固定するので、取り付け作業が簡単で、作業によるばらつきの発生も低減することが可能である。
【００３０】
上記構成において前記上片部の左右両端及び前記一対の下片部は先端が尖った磁針部を備えていてもよい。この場合、前記磁針部としてそれぞれ同一の形状及び大きさで形成されているものを挙げることができる。
【００３１】
また上記構成において、前記一対の下片部として前記フォーカシングコイルの下部よりも下方に配置されるものを挙げることができる。
【発明の効果】
【００３２】
本発明によると、光ディスクにレーザ光を照射する光ヘッドであって、磁性部材の取り付け角度によるレンズホルダ及び対物レンズの傾きやずれが発生するのを抑制し、光ディスクの記録又は再生を精度良く行うことができる。
【００３３】
また本発明は、光ディスクにレーザ光を照射する光ヘッドであって、簡単な構造を有する磁性部材を用いることで、フォーカシングコイルに通電しなくても対物レンズと光ディスクの記録面までの長さを設計上適切な長さに近づくようにし、フォーカシング制御を円滑に効率よく行うことができる。
【発明を実施するための最良の形態】
【００３４】
以下に本発明の実施形態を図面を参照して説明する。図１は本発明にかかる光ヘッドに採用されているアクチュエータの分解斜視図であり、図２は磁性部材の拡大斜視図であり、図３は図２に示す磁性部材の平面図であり、図４は図３に示す磁性部材の側面図である。
【００３５】
図１に示すアクチュエータＡは、対物レンズＬｂと、対物レンズＬｂを保持するレンズホルダ１と、内部にレンズホルダ１が配置されるケース２と、ケース２の底面２１に取り付け固定されるシャフト３と、同一の大きさ及び形状を有しケース２に取り付けられる左右一対の永久磁石４と、レンズホルダ１の側面に接合保持されるトラッキングコイル５と、レンズホルダ１の下面に接合保持されるフォーカシングコイル６と、レンズホルダ１の下面に取り付けられる磁性部材７とを有している。
【００３６】
対物レンズＬｂはレーザ光源（図示省略）から出射されるレーザ光を集光し、その集光点（レーザスポット）を光ディスクの記録面に形成されているグルーブ又はピットに照射させるものである。
【００３７】
レンズホルダ１は、対物レンズＬｂを保持するレンズ保持部１１と、ケース２に取り付けられるシャフト３に摺動及び回動可能に外嵌する貫通孔１２１を有する円筒部１２とを有している。また、レンズホルダ１の両側面には、トラッキングコイル５が接合保持されており、下面には円筒部１２を囲むように配置されている。
【００３８】
ケース２は平面視矩形状の底面２１と、底面２１の４辺から立ち上がる立ち上がり壁部２２とを有している。シャフト３は底面２１からケース２の内部に向かって突出するように、また、永久磁石４は立ち上がり壁部２２にシャフト３を挟んで正対するように配置される。シャフト３は磁性体で形成されており、永久磁石４とシャフト３の間には磁界が形成されている。
【００３９】
トラッキングコイル５及びフォーカシングコイル６は矩形状に巻き回されている。トラッキングコイル５は、レンズホルダ１の側面に配置されている。フォーカシングコイル６はレンズホルダ１の下面に円筒部１２を非接触で囲むように配置されている。トラッキングコイル５及びフォーカシングコイル６は永久磁石４とシャフト３の間に形成される磁界を横切るように配置されている。
【００４０】
トラッキングコイル５及びフォーカシングコイル６は基板（不図示）と接続されており、基板（不図示）を介して、トラッキングコイル５に電流を流すことで、トラッキングコイル５にローレンツ力が発生する。このローレンツ力によって、レンズホルダ１はシャフト３を中心に回動される。この回動によってレーザ光のレーザスポットが光ディスクのトラックに精度良く照射されるようにするトラッキング制御が行われる。
【００４１】
また、フォーカシングコイル６に電流を流すことで、フォーカシングコイル６にローレンツ力が発生する。このローレンツ力によって、レンズホルダ１はシャフト３の軸方向に摺動する。この摺動によって、レーザ光のレーザスポットが光ディスクの記録面に精度良く照射されるようにするフォーカシング制御が行われる。
【００４２】
図２に示すように磁性部材７は、上片部７１と、同一の形状及び大きさを有する一対の下片部７２と、上片部７１及び下片部７２とを連結する連結部７３とを有している。上片部７１と下片部７２とは平行になるように配置されるものであり、連結部７３によって一体に連設されている。上片部７１には、中央にレンズホルダ１の円筒部１２が挿通される貫通孔７１０が形成されている。なお、本実施例では貫通孔７１０として矩形状の貫通孔を示しているが、それに限定されるものではなく、円筒部１２が挿通されるものを広く採用することができる。
【００４３】
図３、図４に示すように磁性部材７の上片部７１には左右両端部の上側に先端の尖った磁針部７１１が形成されており、左右両端部の下側は連結部７３と一体に連結している。また、下片部７２の端部の下側は上辺部７１と同様の先端の尖った形状を有する磁針部７２１が形成されている。図３に示すように、上片部７１の磁針部７１１及び下片部７２の磁針部７２１は左右対称の形状を有するとともに、磁針部７１１及び磁針部７２１も同一の形状及び大きさを有している。連結部７３は、一対の下片部７２と上片部７１とを連結するものであり、互いに対向して配置されている。
【００４４】
図５に図２に示す磁性部材にフォーカシングコイルを取り付けた状態の底面図を、図６に図２に示す磁性部材にフォーカシングコイルを取り付けた状態の側面図である。図５に示すようにフォーカシングコイル６は２個の連結部７３の間にはめ込まれるようにして取り付けられる。また、図５に示すように、上片部７１の磁針部７１１及び下片部７２の磁針部７２１がフォーカシングコイル６よりも外側に突出した状態で、フォーカシングコイル６は磁性部材７の取り付けられている。このとき、フォーカシングコイル６の磁性部材７への取り付けが不安定な場合、フォーカシングコイル６を磁性部材７に接着剤による接着等の固定方法を利用して取り付けてもよい。
【００４５】
図６に示すように、フォーカシングコイル６は上面が上片部７１の下面と当接するように配置されている。また、側面が連結部７３と当接するように配置されている。このとき、磁性部材７の下片部７２はフォーカシングコイル６の下面よりも下方に配置される。
【００４６】
フォーカシングコイル６が取り付け固定された磁性部材７は、レンズホルダ１の円筒部１２がフォーカシングコイル６の中央に形成された空心部６１及び磁性部材７の貫通孔７１０を貫通し磁性部材７の上片部７１がレンズホルダ１の下面と当接するように、レンズホルダ１の下面に取り付け固定される。このとき、磁性部材７とレンズホルダ１とを強固に固定するために接着剤による接着等の固着方法を利用して固着することで、磁性部材７及び磁性部材７を介してフォーカシングコイル６がレンズホルダ１に確実に固定することができる。
【００４７】
図７に図１に示すアクチュエータを組み立てた状態の断面図を示す。図７に示すように、アクチュエータＡはスライドベースＳｂの上に取り付け固定されている。スライドベースＳｂには図示を省略しているが、レーザ光源、ビームスプリッタ、立上げミラー、コリメータレンズ、受光素子等の光学部品が取り付けられている。
【００４８】
磁性部材７及びフォーカシングコイル６を取り付けたレンズホルダ１のレンズ保持部１１に対物レンズＬｂを固定し、側面にトラッキングコイル５を接合保持させる。ケース２の底面２１にはシャフト３が突設されており、立ち上がり壁部２２には、永久磁石４が対向して配置されている。レンズホルダ１の円筒部１２の貫通孔１２１がシャフト３を外嵌するようにレンズホルダ１をケース２内に配置する。
【００４９】
図７に示すように、アクチュエータＡでは、フォーカシングコイル６に非通電状態のときに磁性部材７の上片部７１がフォーカシングコイル６の上側に、下片部７２がフォーカシングコイル６の下側に位置するように配置されているので、上片部７１と下片部７２とが永久磁石４による磁界の影響を受け、レンズホルダ１をケース２の底面２１より一定の高さ持ち上げた位置で浮揚支持することができる。
【００５０】
これにより、レンズホルダ１が光ディスクから離れすぎて、フォーカシング制御を行うときの精度及び安定性が損なわれるのを防ぐことができる。また、上片部７１はレンズホルダ１の下面に取り付けられているので磁性部材７とレンズホルダ１の角度がずれては位置されることがなくなる。これにより、アクチュエータＡの組み立てによるばらつきを抑えることができ、該ばらつきによる光ヘッドの再生、記録精度が低下するのを防ぐことができる。また、磁性部材７及びフォーカシングコイル６のレンズホルダ１への取り付け、固定が容易であり、それだけ、組み立てに必要な時間、コストを削減することができる。
【００５１】
図８に磁性部材の他の例の平面図を、図９に図８に示す磁性部材の側面図を示す。図８、図９に示す磁性部材８は、上片部８１と、同一の形状及び大きさを有する一対の下片部８２と、上片部８１と下片部８２とを一体に連結する連結部８３とを有している。上片部８１はその左右両端部に先端部が尖った磁針部８１１が２個ずつ形成されている。左右両端部に配置された２個ずつの磁針部８１１は、左右対称になるように形成されている。
【００５２】
また、下片部８２の端部の略中央には、１個の磁針部８２１が形成されている。磁針部８２１はそれぞれ外部に向けて突出している。図８に示すように、上片部８１の磁針部８１１と下片部８２の磁針部８２１は同じ長さを有している。また、上片部８１及び下片部８２は図中上下方向に対称に形成されている。
【００５３】
上片部８１及び下片部８２がそれ自体対称に形成されているので、磁性部材８に作用する磁気力が上下に偏って付与することはなくなる。これにより、レンズホルダ１に磁性部材８を取り付け、ケース２に配置したときに、レンズホルダ１が傾くのを抑制することができる。このことにより、光ディスクの記録面上のグルーブ又はピットに正確にレーザスポットを形成することができ、光ディスクの記録又は再生を精度良く行うことが可能である。
【００５４】
上述の実施例に示すように磁性部材が上片部及び下片部を備え、その上片部及び下片部とが互いに磁針部を備えていることで、レンズホルダが浮遊支持されるときの底面からの長さを設計上適切な位置（フォーカシングコイルに電力を供給しなくても、対物レンズと光ディスクの記録面までの設計上の距離が、レーザ光の焦点距離になる又は略焦点距離になる位置）に配置される。これにより、フォーカシング制御の精度を上げることができ、それだけ、光ディスクに対する記録、再生の精度を高めることができる。
【００５５】
また、磁性部材をフォーカシングコイルの上下に設けるものに比べて、部材を省略することができるので、レンズホルダを軽量化することができる。これにより、フォーカシング動作のみでなく、トラッキング動作のときのトラッキングコイルの供給される電力を低減することができる。フォーカシングコイル及びトラッキングコイルの両コイルへ供給される電力が低減することで、でんりょくを供給することで発生する熱を低減することができ、熱による不具合の発生を抑制することができる。
【００５６】
以上、発明の実施形態を具体的に説明したが、本発明は上記実施形態に限定するものではなく、その要旨を逸脱しない範囲で種々変更可能である。
【産業上の利用可能性】
【００５７】
本発明は、ＤＶＤ、ＣＤ、ＬＤ等の光ディスク記録媒体の記録面にレーザ光を照射し、データの記録又は再生を行う光ヘッドにおいて適用することができる。
【図面の簡単な説明】
【００５８】
【図１】本発明にかかる光ヘッドに用いられるアクチュエータの分解斜視図である。
【図２】図１に示す光ヘッドに用いられる磁性部材の拡大斜視図である。
【図３】図２に示す磁性部材の平面図である。
【図４】図３に示す磁性部材の側面図である。
【図５】図２に示す磁性部材にフォーカシングコイルを取り付けた状態の底面図である。
【図６】図２に示す磁性部材にフォーカシングコイルを取り付けた状態の側面図である。
【図７】本発明にかかる光ヘッドの断面図である。
【図８】磁性部材の他の例の平面図である。
【図９】図８に示す磁性部材の側面図である。
【図１０】従来の光ヘッドに用いられるアクチュエータの一例の分解斜視図である。
【図１１】従来の光ヘッドの断面図である。
【図１２】従来の光ヘッドの断面図である。
【符号の説明】
【００５９】
Ａ  アクチュエータ
１  レンズホルダ
１１  レンズ保持部
１２  円筒部
１２１  貫通孔
２  ケース
２１  底面
２２  立ち上がり壁部
３  シャフト
４  永久磁石
５  トラッキングコイル
６  フォーカシングコイル
７  磁性部材
７１  上片部
７１１  磁針部
７２  下片部
７２１  磁針部
７３  連結部
８磁性部材
８１  上片部
８１１  磁針部
８２  下片部
８２１  磁針部
８３  連結部
【図１】
2007299442.tif 000003
【図２】
2007299442.tif 000004
【図３】
2007299442.tif 000005
【図４】
2007299442.tif 000006
【図５】
2007299442.tif 000007
【図６】
2007299442.tif 000008
【図７】
2007299442.tif 000009
【図８】
2007299442.tif 000010
【図９】
2007299442.tif 000011
【図１０】
2007299442.tif 000012
【図１１】
2007299442.tif 000013
【図１２】
2007299442.tif 000014